(57)【特許請求の範囲】
【請求項１】
矩形の底面と、該底面に対してそれぞれ垂直に形成された前面および後面と、前記底面に対して平行に形成された平行四辺形の天面と、前記底面と前記天面との間に前記底面に対して垂直に形成された側平面と前記天面と前記側平面との間の側斜面とからなる側面とを備えた八面体形状であり、前記側平面が三角形であり、前記側斜面が三角形であることを特徴とする変形カートン。
【請求項２】
矩形の底面と、該底面に対してそれぞれ垂直に形成された前面および後面と、前記底面に対して平行に形成された平行四辺形の天面と、前記底面と前記天面との間に前記底面に対して垂直に形成された側平面と前記天面と前記側平面との間の側斜面とからなる側面とを備えた八面体形状であり、前記側平面が台形であり、前記側斜面が三角形であることを特徴とする変形カートン。
【請求項３】
前記前面と前記天面とに渡る開口部を形成するために、前記前面に切り取り線で摘み部を設け、該摘み部を起点として前記前面から前記天面に連続した切り取り線を設けたことを特徴とする請求項１乃至２のいずれかに記載の変形カートン。
【発明の詳細な説明】
【０００１】
【発明の属する技術分野】
本発明は、変形カートンに関し、特に、直方体形状を変形して意匠性を高めた変形カートンに関するものである。
【０００２】
【従来の技術】
従来、菓子、食品などのカートンは、形状として、直方体形状が主に使用されている。また、この直方体形状を大きく変形した三角形状、六角形状など多角形状のカートンも一部使用されている。
【０００３】
【発明が解決しようとする課題】
しかしながら、従来の直方体形状のカートンでは、意匠性の観点では、変化に乏しく、消費者への訴求効果に欠けている。また、内容物を斜めに収納した場合に、角部に無駄な空間を生じてしまうという問題もある。また、カートンの形状を大きく変形して、三角形状、六角形状などの多角形状にすると、材料の取り都合が悪くなるという点、内容物の収納の点、あるいは、内容物を収納した後の集積包装において不都合を来すなどの問題がある。従って、カートンの直方体形状を大きく変形せずに小さな変形を行うことにより意匠性を高め、内容物を斜めに収納することができる形状のカートンが望まれている。
【０００４】
本発明は、前記従来の問題点に鑑みてなされたものであって、従来の直方体形状とは異なり、かつ、簡単な構造であって、意匠性が高く、内容物を斜めに収納することができる変形カートンを提供することを目的とするものである。
【０００５】
【課題を解決するための手段】
前記目的を達成するための本発明は、矩形の底面と、該底面に対してそれぞれ垂直に形成された前面および後面と、前記底面に対して平行に形成され、前記底面と形状が異なる四辺形の天面と、前記底面と前記天面との間に形成された複数の面からなる側面とを備えた多面体形状であることを特徴とする変形カートンであり、前記天面が平行四辺形であり、前記側面が前記底面に対して垂直に形成された側平面と、前記天面と前記側平面との間の側斜面とからなる八面体形状であることを特徴とするものである。
【０００６】
具体的には、前記側平面が三角形であり、前記側斜面が三角形であることを特徴とする八面体形状の変形カートン、あるいは、前記側平面が台形であり、前記側斜面が三角形であることを特徴とする八面体形状の変形カートンである。
【０００７】
また、前記前面と前記天面とに渡る開口部を形成するために、前記前面に切り取り線で摘み部を設け、該摘み部を起点として前記前面から前記天面に連続した切り取り線を設けたことを特徴とする変形カートンである。
【０００８】
本発明によれば、従来の直方体形状の二つの頂角の部分を削り取った形状にすることにより、簡単な構造であって、材料コストが高くない、意匠性が高く、内容物を斜めに収納することができる変形カートンを提供することができる。
【０００９】
【発明の実施の形態】
以下、本発明の変形カートンについて図面に基づいて詳細に説明する。図１は、本発明の変形カートンの第一の実施の形態の一実施例を示す図である。図１−ａは、立体的に組み立てた状態を示す斜視図であり、図１−ｂは、その上面図であり、図１−ｃは、その平面図である。この変形カートンＡは、前面１、天面２、後面３、底面４、左側平面５ａ、左側斜面５ｂ、右側平面６ａ、右側斜面６ｂとから構成されており、開封前の外観上では、一般的な直方体のカートンと異なり、変形した形状となっている。
【００１０】
具体的には、図２に示すような従来の直方体のカートンＰの左側面５において、天面２と後面３と左側面５との頂角Ｑを切り削いで三角形の左側斜面５ｂとし、右側面６において、天面２と前面１と右側面６との頂角Ｒを切り削いで三角形の右側斜面６ｂとし、左側平面５ａ、右側平面６ａは三角形としている。また、底面４は四辺形であり、天面２は平行四辺形であり、前面１と後面３は１辺が斜めの台形となっている。、
【００１１】
本実施例では、易開封性機能を持たせるために、公知の易開封性カートンと同様に、図１に示すように、前面１には、切り取り線ｘ、ｘにより摘み片１ａを設け、前面１と天面２とに連続して、Ｌ字形状の切り取り線ｙ、ｙ、切り取り線ｚ、ｚを設けている。この切り取り線ｘ、ｘ、切り取り線ｙ、ｙ、切り取り線ｚ、ｚで切り取ることにより、それらの内側部分である開口部Ｏを開封することができ、そして、開封後には、開口部Ｏを再封することもできる。
【００１２】
図３は、本発明による変形カートンＡのブランクの一例を示す展開図である。このブランク１０Ａ−１は、右辺が斜めの台形である前面１、平行４辺形である天面２、左辺が斜めの台形である後面３、４辺形の底面４、そして、糊代片７をそれぞれ平行である折れ線ａ、ｂ、ｃ、ｄを介して連設している。また、天面２の左辺には、折れ線ｅを介して左側斜面５ｂを連設し、この左側斜面５ｂに折れ線ｆを介して左側平面５ａを連設し、そして、この左側平面５ａに折れ線ｇを介して差し込み片８を連設している。天面２の右辺には、折れ線ｈを介して右側斜面６を連設し、この右側斜面６ｂに折れ線ｉを介して右側平面６ａを連設し、そして、この右側平面６ａに折れ線ｊを介して差し込み片９を連設している。また、前面１の左辺には、折れ線ｋを介して折り込み片１１を連設し、右辺には、折れ線ｌを介して折り込み片１２を連設し、そして、後面３の左辺には、折れ線ｍを介して折り込み片１３を連設し、右辺には、折れ線ｎを介して折り込み片１４を連設している。
【００１３】
さらに、易開封性機能として、前面１の中央部に２本の切り取り線ｘ、ｘにより摘み部１ａを設け、その切り取り線ｘ、ｘを起点として、斜めにＬ字形の切り取り線ｙ、ｙを両側方向に伸ばして、さらに、その切り取り線ｙ、ｙを天面２に連続して伸ばして天面２の両側辺に沿ってＬ字形の切り取り線ｚ、ｚを設けている。また、糊代片７には、摘み部１ａを再封する時に差し込むための差し込み口７ａを切れ線で設けている。
【００１４】
つぎに、上記のようなブランク１０Ａ−１から本実施の形態の変形カートンＡを組立てて、内容物を充填包装する工程について、図を用いて説明する。
【００１５】
最初に、ブランク１０Ａ−１から折り畳まれた状態の変形カートンＡに組み立てる。図４−ａに示すように、糊代片７を折れ線ｄで底面４側に折り曲げ、そして、図４−ｂに示すように、天面２を折れ線ｂで後面３側に折り曲げて、糊代片７と前面１の開口部Ｏの外側部分とを貼り合せる。このようにして、図４−ｃに示すように、折り畳まれた状態の変形カートンＡを組み立てることができる。
【００１６】
つぎに、折り畳まれた変形カートンＡを起こして組み立てて、内容物Ｓを充填包装する。まず、折り畳まれた状態から、図５−ａに示すような起こされた状態とする。つぎに、開放された左右側面部Ｓ−１、Ｓ−２の一方を形成する。例えば、図５−ｂに示すように、一方の左側面部Ｓ−１では、二つの折り込み片１１、１５を内側に折り曲げて、そして、左側平面５ａを折れ線ｆで折り曲げながら左側斜面５ｂを折れ線ｅで折り曲げて、差し込み片８を底面４の裏面側に差し込む。この時、底面４の裏面に差し込み片８を接着して固定し、図５−ｃに示すように、一方の左側面部Ｓ−１を形成することができる。
【００１７】
つぎに、この図５−ｃに示した状態で、他方の右側面部Ｓ−２側から内容物Ｓを変形カートンＡ内に挿入し、他方の右側面部Ｓ−２も左側面部Ｓ−１と同様にして形成して、図５−ｄに示すように、内容物Ｓが収納された変形カートンＡとすることができる。このようにして、本発明の変形カートンＡの組立ておよび内容物Ｓの充填包装を行うことができる。
【００１８】
図６は、本発明による変形カートンＡのブランクの別の例を示す展開図である。このブランク１０Ａ−２は、右辺が斜めの台形である前面１、平行４辺形である天面２、左辺が斜めの台形である後面３、４辺形の底面４、そして、糊代片７をそれぞれ平行である折れ線ａ、ｂ、ｃ、ｄを介して連設している。また、天面２の左辺には、折れ線ｅを介して左側斜面５ｂを連設し、この左側斜面５ｂに折れ線ｆを介して左側平面５ａを連設している。天面２の右辺には、折れ線ｈを介して右側斜面６ｂを連設し、この右側斜面６ｂに折れ線ｉを介して右側平面６ａを連設している。また、前面１の左辺には、折れ線ｋを介して折り込み片１１を連設し、右辺には、折れ線ｌを介して折り込み片１２を連設し、そして、後面３の左辺には、折れ線ｍを介して折り込み片１３を連設し、右辺には、折れ線ｎを介して折り込み片１４を連設している。また、底面４の左辺には、折れ線ｏを介して左側下面１５を連設し、右辺には、折れ線ｐを介して右側下面１６を連設している。
【００１９】
さらに、易開封性機能として、ブランク１０Ａ−１と同様に、前面１の中央部に２本の切り取り線x、xにより摘み部１ａを設け、その切り取り線x、xを起点として、斜めにＬ字形の切り取り線ｙ、ｙを両側方向に伸ばして、さらに、その切り取り線ｙ、ｙを天面２に連続して伸ばして天面２の両側辺に沿ってＬ字形の切り取り線ｚ、ｚを設けている。また、糊代片７には、摘み部１ａを再封する時に差し込むための差し込み口７ａを切れ線で設けている。
【００２０】
つぎに、上記のようなブランク１０Ａ−２から本実施の形態の変形カートンＡを組立てて、内容物Ｓを充填包装する工程については、ブランク１０Ａ−１の場合とほぼ同様であるが、折り畳まれた状態から、起こされた状態とし、開放された左右側面部Ｓ−１、Ｓ−２を封鎖する方法が異なっている。一方の左側面部Ｓ−１では、二つの折り込み片１１、１３を内側に折り曲げ、左側下面１５を折れ線ｏで折り曲げて、そして、左側平面５ａを折れ線ｆで折り曲げながら左側斜面５ｂを折れ線ｅで折り曲げて、左側平面５ａと左側下面１５とを貼り合せる。内容物Ｓを充填した後に、他方の右側面部Ｓ−２も左側面部Ｓ−１と同様にして封鎖して、内容物Ｓが収納された変形カートンＡとすることができる。
【００２１】
また、このブランク１０Ａ−２から本実施の形態の変形カートンＡを組立てて、内容物Ｓを充填包装する工程については、上記の方法と異なり、ブランク１０Ａ−２を組み立てながら内容物Ｓを充填包装するトップロード方式により行うこともできる。なお、トップロード方式の場合、易開封性機能としての開口部を糊代片７と底面４とに設けている。
【００２２】
このトップロード方式では、最初に、天面２の裏をベース面として、前面１を折れ線ａで天面２の裏面側に直角に折り曲げて起こし、後面３を折れ線ｂで天面２の裏面側に直角に折り曲げて起こし、そして、前面１の折り込み片１１、１２を内側に折り曲げ、後面３の折り込み片１３、１４を内側に折り曲げる。つぎに、左側平面５ａを折れ線ｆで折りながら左側斜面５ｂを折れ線ｅで天面２の裏面側に折り曲げて起こし、右側平面６ａを折れ線ｉで折りながら右側斜面６ｂを折れ線ｈで天面２の裏面側に折り曲げて起こし、そして、折り込み片１１、１２および折り込み片１３、１４と貼り合せる。このようにして、トレー形状に組み立てる。
【００２３】
このトレー形状の状態で、内容物Ｓを充填した後、底面４を内容物Ｓを被せるように内側に折り曲げ、糊代片７を前面１に、左側下面１５を左側平面５ａに、そして、右側下面１６を右側平面６ａに貼り合せることにより内容物Ｓが充填された変形カートンＡを形成することができる。このようにして、本発明の変形カートンＡの組立ておよび内容物Ｓの充填包装をトップロード方式により行うことができる。
【００２４】
図７は、本発明による変形カートンＡのブランクのさらに別の例を示す展開図である。このブランク１０Ａ−３は、右辺が斜めの台形である前面１、平行４辺形である天面２、左辺が斜めの台形である後面３、４辺形の底面４をそれぞれ平行である折れ線ａ、ｂ、ｃを介して連設し、そして、前面１に折れ線ｑを介して台形の糊代片１７を連設している。また、天面２の左辺には、折れ線ｅを介して左側斜面５ｂを連設し、この左側斜面５ｂに折れ線ｆを介して左側平面５ａを連設し、そして、この左側平面５ａに折れ線ｇを介して差し込み片８を連設している。天面２の右辺には、折れ線ｈを介して右側斜面６ｂを連設し、この右側斜面６ｂに折れ線ｉを介して右側平面６ａを連設し、そして、この右側平面６ａに折れ線ｊを介して差し込み片９を連設している。また、前面１の左辺には、折れ線ｋを介して折り込み片１１を連設し、右辺には、折れ線ｌを介して折り込み片１２を連設し、そして、後面３の左辺には、折れ線ｍを介して折り込み片１３を連設し、右辺には、折れ線ｎを介して折り込み片１４を連設している。
【００２５】
さらに、易開封性機能として、ブランク１０Ａ−１と同様に、前面１の中央部に切り取り線x、x、ｘにより摘み部１ａを設け、その切り取り線x、xを起点として、斜めにＬ字形の切り取り線ｙ、ｙを両側方向に伸ばして、さらに、その切り取り線ｙ、ｙを天面２に連続して伸ばして天面２の両側辺に沿ってＬ字形の切り取り線ｚ、ｚを設けている。
【００２６】
つぎに、上記のようなブランク１０Ａ−３から本実施の形態の変形カートンＡを組立てて、内容物Ｓを充填包装する工程については、ブランク１０Ａ−１、ブランク１０Ａ−２の場合と異なり、ブランクを組み立てながら内容物Ｓを充填包装するラップラウンド方式により行うことができる。
【００２７】
このラップラウンド方式では、最初に、天面２の裏をベース面として、内容物Ｓを包むようにして前面１を折れ線ａで天面２の裏面側に直角に折り曲げて起こし、後面３を折れ線ｂで天面２の裏面側に直角に折り曲げて起こす。そして、前面１の折り込み片１１、１２を内側に折り曲げ、後面３の折り込み片１３、１４を内側に折り曲げる。つぎに、左側平面５ａを折れ線ｆで折りながら左側斜面５ｂを折れ線ｅで天面２の裏面側に折り曲げて起こし、右側平面６ａを折れ線ｉで折りながら右側斜面６ｂを折れ線ｈで天面２の裏面側に折り曲げて起こし、差し込み片８と差し込み片９を内側に折り曲げる。そして、糊代片１７を内側に折り曲げ、最後に、底面４を内容物Ｓを被せるように内側に折り曲げて糊代片１７と貼り合せることにより内容物Ｓが充填された変形カートンＡを形成することができる。このようにして、本発明の変形カートンＡの組立ておよび内容物Ｓの充填包装をラップラウンド方式により行うことができる。
【００２８】
図８は、本発明による変形カートンＡのブランクのさらにまた別の例を示す展開図である。このブランク１０Ａ−４は、右側平面６ａ、右側斜面６ｂ、天面２、左側斜面５ｂ、左側平面５ａ、底面４、糊代片２０を順次連設している。そして、天面２の下辺に前面１、天面２の上辺に後面３を連設し、底面４の下辺に前下面１９、上辺に後下面２０を連設し、右側斜面６ｂの下辺に折り込み片２１を連設し、右側平面６ａの上辺に折り込み片２２を連設し、左側平面５ａの下辺に折り込み片２３を連設し、左側斜面５ｂの上辺に折り込み片２４を連設している。
【００２９】
さらに、易開封性機能として、ブランク１０Ａ−１と同様に、前面１の中央部に切り取り線x、x、ｘにより摘み部１ａを設け、その切り取り線x、xを起点として、斜めにＬ字形の切り取り線ｙ、ｙを両側方向に伸ばして、さらに、その切り取り線ｙ、ｙを天面２に連続して伸ばして天面２の両側辺に沿ってＬ字形の切り取り線ｚ、ｚを設けている。
【００３０】
つぎに、上記のようなブランク１０Ａ−４から本実施の形態の変形カートンＡを組立てて、内容物Ｓを充填包装する工程については、ブランク１０Ａ−２の場合とほぼ同様であり、右側平面６ａと糊代片１８とを貼り合せて折り畳まれた状態とし、その折り畳まれた状態から、起こされた状態とし、内容物Ｓを収納して開放された前面部および後面部を封鎖する。一方の前面部では、二つの折り込み片２１、２２を内側に折り曲げ、前下面１９を折り曲げて、そして、前面１を折り曲げて、前下面１９と前面１とを貼り合せる。内容物Ｓを充填した後に、他方の後面部も前面部と同様にして封鎖して、内容物Ｓが収納された変形カートンＢとすることができる。
【００３１】
図９は、本発明の変形カートンの第二の実施の形態の一実施例を示す図である。図９−ａは、立体的に組み立てた状態を示す斜視図であり、図９−ｂは、その上面図であり、図９−ｃは、その平面図である。この変形カートンＢは、第一の実施の形態の変形カートンＡと同様に、前面１、天面２、後面３、底面４、左側平面５ａ、左側斜面５ｂ、右側平面６ａ、右側斜面６ｂとから構成されており、開封前の外観上では、一般的な直方体のカートンと異なり、変形した形状となっている。
【００３２】
具体的には、変形カートンＡとは異なり、図１０に示すような従来の直方体のカートンＰの左側面５において、天面２と後面３と左側面５との頂角Ｑを切り削いで三角形の左側斜面５ｂとし、右側面６において、天面２と前面１と右側面６との頂角Ｒを切り削いで三角形の右側斜面６ｂとし、左側平面５ａ、右側平面６ａは四辺形の一角が欠けた台形となっている。また、底面４は四辺形であるが、天面２は平行四辺形となり、前面１と後面３は四辺形の一角が欠けた形の五角形となっている。
【００３３】
本実施例では、易開封性機能を持たせるために、第一の実施の形態の変形カートンＡと同様に、図９に示すように、前面１には、切り取り線ｘ、ｘにより摘み片１ａを設け、前面１と天面２とに連続して、Ｌ字形状の切り取り線ｙ、ｙ、切り取り線ｚ、ｚを設けている。この切り取り線ｘ、ｘ、切り取り線ｙ、ｙ、切り取り線ｚ、ｚで切り取ることにより、それらの内側部分である開口部Ｏを開封することができ、そして、開封後には、開口部Ｏを再封することもできる。
【００３４】
図１１は、本発明による変形カートンＢのブランクの一例を示す展開図である。このブランク１０Ｂ−１は、右辺の一部が斜めの五角形である前面１、平行４辺形である天面２、左辺の一部が斜めの五角形である後面３、４辺形の底面４、そして、糊代片７をそれぞれ平行である折れ線ａ、ｂ、ｃ、ｄを介して連設している。また、天面２の左辺には、折れ線ｅを介して左側斜面５ｂを連設し、この左側斜面５ｂに折れ線ｆを介して左側平面５ａを連設し、そして、この左側平面５ａに折れ線ｇを介して差し込み片８を連設している。天面２の右辺には、折れ線ｈを介して右側斜面６を連設し、この右側斜面６ｂに折れ線ｉを介して右側平面６ａを連設し、そして、この右側平面６ａに折れ線ｊを介して差し込み片９を連設している。また、前面１の左辺には、折れ線ｋを介して折り込み片１１を連設し、右辺には、折れ線ｌを介して折り込み片１２ａを、折れ線ｒを介して折り込み片１２ｂを連設し、そして、後面３の左辺には、折れ線ｍを介して折り込み片１３ａを、折れ線ｓを介して折り込み片１３ｂを連設し、右辺には、折れ線ｎを介して折り込み片１４を連設している。
【００３５】
さらに、易開封性機能として、第一の実施の形態と同様に、前面１の中央部に２本の切り取り線x、xにより摘み部１ａを設け、その切り取り線x、xを起点として、斜めにＬ字形の切り取り線ｙ、ｙを両側方向に伸ばして、さらに、その切り取り線ｙ、ｙを天面２に連続して伸ばして天面２の両側辺に沿ってＬ字形の切り取り線ｚ、ｚを設けている。また、糊代片７には、摘み部１ａを再封する時に差し込むための差し込み口７ａを切れ線で設けている。
【００３６】
つぎに、上記のようなブランク１０Ｂ−１から本実施の形態の変形カートンＢを組立てて、内容物を充填包装する工程については、第一の実施の形態の変形カートンＡで説明した工程と同様に行うことができるため図は省略して説明する。
【００３７】
最初に、ブランク１０から折り畳まれた状態の変形カートンＢに組み立てる。糊代片７を折れ線ｄで底面４側に折り曲げ、そして、天面２を折れ線ｂで後面３側に折り曲げて、糊代片７と前面１の開口部Ｏの外側部分とを貼り合せる。このようにして、折り畳まれた状態の変形カートンＢを組み立てることができる。
【００３８】
つぎに、折り畳まれた変形カートンＢを起こして組み立てて、内容物Ｓを充填包装する。まず、折り畳まれた状態から、起こされた状態とする。つぎに、開放された左右側面部Ｓ−１、Ｓ−２の一方を形成する。例えば、一方の左側面部Ｓ−１では、三つの折り込み片１１、１３ａ、１３ｂを内側に折り曲げて、そして、左側平面５ａを折れ線ｆで折り曲げながら左側斜面５ｂを折れ線ｅで折り曲げて、差し込み片８を底面４の裏面側に差し込む。この時、底面４の裏面に差し込み片８を接着して固定し、一方の左側面部Ｓ−１を形成することができる。
【００３９】
つぎに、この状態で、他方の右側面部Ｓ−２側から内容物Ｓを変形カートンＢ内に挿入し、他方の右側面部Ｓ−２も左側面部Ｓ−１と同様にして形成して、内容物Ｓが収納された変形カートンＢとすることができる。このようにして、本発明の変形カートンＢの組立ておよび内容物Ｓの充填包装を行うことができる。
【００４０】
図１２は、本発明による変形カートンＢのブランクの別の例を示す展開図である。このブランク１０Ｂ−２は、第一の実施の形態のブランクＡ−２と同様に、シールカートン形式あるいはトップロード方式の充填包装に対応した形状であり、このブランク１０Ｂ−２から本実施の形態の変形カートンＢを組立てて、内容物Ｓを充填包装する工程について、ブランク１０Ａ−２の場合と同様の方法で行うことができる。
【００４１】
図１３は、本発明による変形カートンＢのブランクのさらに別の例を示す展開図である。このブランク１０Ｂ−３は、第一の実施の形態のブランクＡ−３と同様に、ラップラウンド方式の充填包装に対応した形状であり、このブランク１０Ｂ−３から本実施の形態の変形カートンＢを組立てて、内容物Ｓを充填包装する工程について、ブランク１０Ａ−３の場合と同様にラップラウンド方式で行うことができる。
【００４２】
図１４は、本発明による変形カートンＢのブランクのさらにまた別の例を示す展開図である。このブランク１０Ｂ−４は、第一の実施の形態のブランクＡ−４とほぼ同様の形状であり、このブランク１０Ｂ−４から本実施の形態の変形カートンＢを組立てて、内容物Ｓを充填包装する工程についても、ブランク１０Ａ−４の場合と同様に行うことができる。
【００４３】
さらに、ブランク１０Ｂ−２、ブランク１０Ｂ−３、ブランク１０Ｂ−４においても、易開封性機能として、ブランク１０Ｂ−１と同様に、前面１の中央部に切り取り線x、x、ｘにより摘み部１ａを設け、その切り取り線x、xを起点として、斜めにＬ字形の切り取り線ｙ、ｙを両側方向に伸ばして、さらに、その切り取り線ｙ、ｙを天面２に連続して伸ばして天面２の両側辺に沿ってＬ字形の切り取り線ｚ、ｚを設けている。
【００４４】
つぎに、本実施の形態の変形カートンＡおよび変形カートンＢの開封および再封について図を参照して説明する。まず、変形カートンＡを開封する場合は、図８に示すように、前面１に切り取り線x、xにより設けた摘み部１ａを上方に引き上げ、この切り取り線x、xを起点としたＬ字形状の切り取り線ｙ、ｙを両側に向かって切り取り、そして、天面２に連続して設けられたＬ字形状の切り取り線ｚ、ｚを切り取ることにより、前面１と天面２とに渡る開口部Ｏを開封することができ、内容物Ｓを取り出すことができる。
【００４５】
つぎに、開封された変形カートンＡおよび変形カートンＢを再封する場合は、開封した開口部Ｏの前面１に設けた摘み部１ａを糊代片７に設けた差し込み口７ａに差し込むことにより、簡単に再封することができる。
【００４６】
【発明の効果】
以上説明したように、本発明の変形カートンは、従来の直方体形状のカートンに小さな変形を加えることにより、簡単な構造であって、材料コストが高くなることのない意匠性を高めたカートンである。また、内容物を斜めに収納しても無駄な空間を生じることのないカートンである。さらに、易開封性機能を加えることによって、開封が簡便で内容物を取り出しやすくなるという効果を有するものである。
【図面の簡単な説明】
【図１】本発明の変形カートンの第一の実施の形態の一実施例を示す斜視図、上面図、および平面図である。
【図２】本発明の変形カートンの第一の実施の形態の一実施例を従来の直方体カートンと比較した斜視図である。
【図３】本発明の変形カートンの第一の実施の形態の一実施例のブランクの一例を示す展開図である。
【図４】本発明の変形カートンの第一の実施の形態の一実施例を組み立てる工程を説明する図である。
【図５】本発明の変形カートンの第一の実施の形態の一実施例を組み立てて内容物を充填包装する工程を説明する図である。
【図６】本発明の変形カートンの第一の実施の形態の一実施例のブランクの別の例を示す展開図である。
【図７】本発明の変形カートンの第一の実施の形態の一実施例のブランクのさらに別の例を示す展開図である。
【図８】本発明の変形カートンの第一の実施の形態の一実施例のブランクのさらにまた別の例を示す展開図である。
【図９】本発明の変形カートンの第二の実施の形態の一実施例を示す斜視図、上面図、および平面図である。
【図１０】本発明の変形カートンの第二の実施の形態の一実施例を従来の直方体カートンと比較した斜視図である。
【図１１】本発明の変形カートンの第二の実施の形態の一実施例のブランクの一例を示す展開図である。
【図１２】本発明の変形カートンの第二の実施の形態の一実施例のブランクの別の例を示す展開図である。
【図１３】本発明の変形カートンの第二の実施の形態の一実施例のブランクのさらに別の例を示す展開図である。
【図１４】本発明の変形カートンの第二の実施の形態の一実施例のブランクのさらにまた別の例を示す展開図である。
【図１５】本発明の変形カートンの一実施例の開封を説明する図である。
【符号の説明】
Ａ        変形カートン
Ｂ        変形カートン
１        前面
２        天面
３        後面
４        底面
５        左側面
５ａ      左側平面
５ｂ      左側斜面
６        右側面
６ａ      右側平面
６ｂ      右側斜面
７        糊代片
７ａ      差し込み口
８        差し込み片
９        差し込み片
１０Ａ−１  ブランク
１０Ａ−２  ブランク
１０Ａ−３  ブランク
１０Ｂ−１  ブランク
１０Ｂ−２  ブランク
１０Ｂ−３  ブランク
１１        折り込み片
１２        折り込み片
１２ａ      折り込み片
１２ｂ      折り込み片
１３        折り込み片
１３ａ      折り込み片
１３ｂ      折り込み片
１４        折り込み片
１５        左側下面
１６        右側下面
１７        糊代片
１８        糊代片
１９        前下面
２０        後下面
２１        折り込み片
２１ａ      折り込み片
２１ｂ      折り込み片
２２        折り込み片
２３        折り込み片
２４        折り込み片
２４ａ      折り込み片
２４ｂ      折り込み片
ａ〜ｓ        折れ線
ｘ〜ｚ        切り取り線
Ｏ        開口部
Ｐ        従来のカートン（直方体形状）
Ｑ、Ｒ        頂角
Ｓ        内容物
【図１】
0004736290.tif 000002
【図２】
0004736290.tif 000003
【図３】
0004736290.tif 000004
【図４】
0004736290.tif 000005
【図５】
0004736290.tif 000006
【図６】
0004736290.tif 000007
【図７】
0004736290.tif 000008
【図８】
0004736290.tif 000009
【図９】
0004736290.tif 000010
【図１０】
0004736290.tif 000011
【図１１】
0004736290.tif 000012
【図１２】
0004736290.tif 000013
【図１３】
0004736290.tif 000014
【図１４】
0004736290.tif 000015
【図１５】
0004736290.tif 000016